(57)【要約】      （修正有）【課題】僅少な魚信（アタリ）も確実に捉え高輝度発光させ、白昼での目視をも容易にし、波、風、水流などによる誤作動防止機能を備えた釣り用電気ウキを提供する。【解決手段】先ず、僅少な魚信も確実に捉え発光させる為の手段は、永久磁石によるリレーの考案により解決した。当該リレーは、接点Ａ，Ｂの切り替えを永久磁石によって行うもので、釣り糸から伝えられた魚信により、センサーロッドと一体の永久磁石が引き下げられる。従って磁界に捉われていたリード板が磁界から開放され、魚信灯接点に接合する。因って常時灯接点を経て点灯していた常時灯が消え、魚信灯が発光する。次に、誤作動防止装置は、永久磁石を中ケース底板まで持ち上げる為のスプリング下部にある、スプリングホルダーを、誤作動防止昇降ネジにより上昇させ、スプリングの反発力を高めることで波、風、水流等による誤作動を確実に防止出来るものとした。【選択図】なし【実用新案登録請求の範囲】
【請求項１】
ウキ下のライン（道糸、ハリス、錘、仕掛けなど）に伝わる僅少な魚信も、敏感に感知し、昼夜を問わず目視を容易にする、高輝度発光に必要な電源を含む発光装置と、誤作動を防止するための機能を具備する、釣り用電気ウキ。
【考案の詳細な説明】
【技術分野】
【０００１】  本考案は、ウキ釣りに於ける魚信（アタリ）を捉え発光する、電気ウキに関するものである。
【背景技術】
【０００２】  従来の電気ウキには、発光器具をウキ本体に内蔵し常時点灯させ夜間ウキの所在を目視するものや、球形のウキの上下に異色の色を塗り、発光器具を内臓、魚信によってウキが反転することで発光色を変化させるもの、また、製品化されているか否かは定かでないが、魚信による発光を目的としたもので、公開特許広報に、
【特許文献１】特開２００１−７８６３６や
【特許文献１】特開２００２−１１２６８５  などが公開されている。
【考案の開示】
【考案が解決しようとする課題】
【０００３】  しかし、魚信により発光、あるいは発光色の変化を目的とした何れのものも、波の静かなときのみに有効であり、少し波の荒いときには、波に揺らされたウキが発光、または発光色が変化する、いわゆる誤作動しやすい構造である為、魚信による発光なのか誤作動による発光なのか判断し難い点である。
【課題を解決するための手段】
【０００４】  本考案は、釣魚が釣餌に食いついた時、釣り糸に伝わる僅少な魚信でも確実に感知させるための永久磁石によるリレーと、高輝度発光に必要な電源、および誤作動防止装置を具備することを最も主要な特徴とする。
【考案の効果】
【０００５】  本考案の誤作動防止装置付き電気ウキは、その構造上簡潔な形状に出来るため、遠投にも適している。【０００６】  また、電気ウキと云えば夜間専用というイメージがあるが、当該電気ウキの常時灯、回路上には，ＯＮ，ＯＦＦ，スイッチが装備されており、昼間の使用時には電源回路を切断、消費電力を節約する事が出来る。【０００７】  さらに魚信灯には高輝度バルブを採用、白昼での発光の目視も容易で、昼夜を問わず使用できる利点がある。
【考案を実施するための最良の形態】
【０００８】  上ケース１と中ケース２とは一体の水密室である。電池、発光器具の交換は中ケース２と上ケース１を分割するが、オーリング付きのねじ込み式で着脱を容易にした。【０００９】  下ケース３内への水の進入はやむを得ないものとして、逆に水の進入排出をスムーズにする為、下ケースには複数の入出孔を設け、収納される部品は全て防錆素材の部品とした。また誤作動防止調整のための中ケース２との着脱は、ねじ込み式である。
【実施例】
【００１０】  釣り糸を介して引かれたセンサーバー１９が、その上端に固定された永久磁石１６を引き下げる事で、磁力に捉えられていたリード板１４がその磁界から開放され跳ね上がる。【００１１】  常時灯接点１０からリード板１４が離れた瞬間、常時灯５は消え魚信灯接点９より供給された電力により魚信灯４が点灯する。【００１２】  釣魚が餌を放した時、センサーバー１９、永久磁石１６は、スプリング１７の反発で押し上げられる。【００１３】  魚信灯接点９からリード板１４が離れた瞬間、魚信灯４は消え常時灯接点１０より供給された電力により常時灯５が点灯する。よって、魚信の無い時はこの状態を保っている。【００１４】  昼間の使用では、常時灯スイッチ６によって常時灯５への電力供給を切断する。【００１５】  誤作動防止昇降ネジ１３を右回転、または左回転する事でスプリングホルダー１２を無  段階に昇降できる。【００１６】  スプリングホルダー１２の上昇、或いは下降でスプリング１７は伸縮し、その反発力の  値を、ウキ下のライン（道糸、ハリス、錘、仕掛けなど）にかかる水流の抵抗に対応さ  せることで誤作動が防止出来る。
【産業上の利用可能性】
【００１７】  漁を業とする分野においても、本考案の永久磁石リレー８と発光器具或いは発信機などと組み合わせ、また、対象魚の大小でウキの形状サイズを其れなりに対応し、応用することにより、現場での省力および生産の向上が期待できる。
【図面の簡単な説明】
【００１８】
【図１】は、本考案の立面図、構造図、配線図である。
【図２】は、図１の８、永久磁石リレーの拡大構造図である。
【符号の説明】
【００１９】  １  上ケース
２  中ケース
３  下ケース
４  魚信灯（バルブ）
５  常時灯（ＬＥＤ）
６  常時灯スイッチ
７  電源（電池）
８  永久磁石リレー
９  魚信灯接点
１０  常時灯接点
１１  磁石摺動ガイド
１２  スプリングホルダー
１３  誤作動防止昇降ネジ
１４  リード板
１５  中ケース底板
１６  永久磁石
１７  スプリング
１８  センサーバーガイド
１９  センサーバー
【図１】
0003104978.tif 000002
【図２】
0003104978.tif 000003
【手続補正書】
【提出日】平成16年5月1日(2004.5.1)
【手続補正１】
【補正対象書類名】実用新案登録請求の範囲
【補正対象項目名】全文
【補正方法】変更
【補正の内容】
【実用新案登録請求の範囲】
【請求項１】
魚信によって点灯する魚信灯と、魚信のない時に点灯する常時灯、その電源を内蔵した自立ウキ下部に、魚信によって魚信灯と常時灯を切り替える為の、誤作動防止装置を備えた永久磁石リレーを具備する、釣り用電気ウキに於いて、
（１）永久磁石リレーは、魚信灯回路Ａ接点、常時灯回路Ｂ接点、導電性金属に磁気反応素材を貼り合せたリード板、センサーロッドとその上部に固定した永久磁石、それを押し上げる為のコイルスプリングで構成し、魚信によってセンサーロッドとその上部の永久磁石が引き下げられ、Ｂ接点に接触していたリード板が、磁力から開放され跳ね上がった瞬間、Ｂ接点を離れＡ接点に接触、点灯していた常時灯が消え魚信灯が点灯する。
（２）さらにウキ下のライン、即ち、道糸、ハリス、錘、仕掛け、等にかかる水圧水流の抵抗や、波風でのウキの揺れによりセンサーロッドが引かれてしまう、所謂「誤作動」を防止する為、スプリングホルダー、センサーロッドガイド、誤作動防止調整ネジをコイルスプリング下部に配置、誤作動防止調整ネジを回転させることで、スプリングホルダーが上昇あるいは下降し、コイルスプリングを伸縮、コイルスプリングの反発力が変化する。
（３）そのコイルスプリングの反発力を変化させ、適時その状況に対応できる誤作動防止機能とした。
以上から成る、釣り用電気ウキ。
【手続補正２】
【補正対象書類名】明細書
【補正対象項目名】全文
【補正方法】変更
【補正の内容】
【考案の詳細な説明】
【技術分野】
【０００１】  本考案は、ウキ釣りに於ける魚信（アタリ）を捉え発光する、電気ウキに関するものである。
【背景技術】
【０００２】  従来の電気ウキには、発光器具をウキ本体に内蔵し常時点灯させ夜間ウキの所在を目視するものや、球形のウキの上下に異色の色を塗り、発光器具を内臓、魚信によってウキが反転することで発光色を変化させるもの、また、製品化されているか否かは定かでないが、魚信による発光を目的としたもので、公開特許広報に、下記などが公開されている。
【特許文献１】特開２００１−７８６３６
【特許文献１】特開２００２−１１２６８５
【考案の開示】
【考案が解決しようとする課題】
【０００３】  しかし、魚信により発光、あるいは発光色の変化を目的とした何れのものも、比較的波の静かなときのみに有効であり、風のある日や波の荒いときには、波に揺らされたウキが発光、または発光色が変化する、いわゆる誤作動しやすい構造である為、魚信による発光なのか誤作動による発光なのか判断し難い点である。
【課題を解決するための手段】
【０００４】  本考案は、魚が釣餌に食いついた時、釣り糸に伝わる僅少な魚信でも確実に感知し、常時灯５と高輝度発光する魚信灯４、その二灯を切り替えるための永久磁石によるリレー（Ａ接点９、Ｂ接点１０、リード板１４、センサーロッド１９、及びその上部に固定した永久磁石１６、コイルスプリング７、磁石摺動ガイド１１）と、高輝度発光に必要な電源７、および誤作動防止装置（スプリングホルダー１２、誤作動防止調整ネジ１３、センサーロッド１８）を具備することを最も主要な特徴とする。
【考案の効果】
【０００５】  本考案の誤作動防止装置付き電気ウキは、その構造上簡潔な形状に出来るため、遠投にも適している。【０００６】  また、電気ウキと云えば夜間専用というイメージがあるが、当該電気ウキの常時灯５の回路上には，ＯＮ，ＯＦＦ，スイッチ６が装備されており、昼間の使用時には常時灯回路を切断し消費電力を節約する事が出来る。【０００７】  さらに魚信灯４には高輝度バルブを採用、白昼での発光の視認も容易で、昼夜を問わず使用できる利点がある。
【考案を実施するための最良の形態】
【０００８】  上ケース１と中ケース２とは一体の水密室である。
電池７、発光器具４、５の交換は中ケース２と上ケース１を分割するが、オーリング２０付きのねじ込み式で着脱を容易にした。【０００９】  下ケース３内への水の進入はやむを得ないものとして、逆に水の入排水をスムーズにする為、下ケース３には複数の孔を設け、収納される部品は全て防錆素材の部品とした。
また、誤作動防止調整のための中ケース２との着脱は、ねじ込み式である。
【実施例】
【００１０】  釣り糸を介して引かれたセンサーロッド１９が、その上端に固定された永久磁石１６を引き下げる事で、磁力に捉えられていたリード板１４がその磁界から開放され跳ね上がる。【００１１】  Ｂ接点１０からリード板１４が離れた瞬間、常時灯５は消えＡ接点９より供給された電力により魚信灯４が点灯する。【００１２】  魚が餌を放した時、センサーロッド１９、永久磁石１６は、コイルスプリング１７の反発で押し上げられ、【００１３】  永久磁石１６の磁力に捉えられたリード板１４がＢ接点１０に接触、この瞬間魚信灯４は消え、Ｂ接点１０より供給された電力により常時灯５が点灯する。よって、魚信の無い時はこの状態を保っている。【００１４】  誤作動防止調整ネジ１３を左右に回転する事で、スプリングホルダー１２を無段階に昇降できる。【００１５】  スプリングホルダー１２の上昇、或いは下降でスプリング１７は伸縮し、その反発力の値を、ウキ下のライン即ち、道糸、ハリス、錘、仕掛けなどにかかる水流の抵抗に対応させることで誤作動が防止出来る。
【産業上の利用可能性】
【００１６】  漁を業とする分野においても、本考案の永久磁石リレー部８と発光器具或いは発信機などと組み合わせ、また、対象魚の大小でウキの形状サイズを其れなりに対応し、応用することにより、現場での省力および生産の向上が期待できる。
【図面の簡単な説明】
【００１７】
【図１】は、本考案の立面図である。
【図２】は、部品構成図及び、配線図である。
【図３】は、図１の８、永久磁石リレーおよび誤作動防止装置の拡大図である。
【符号の説明】
【００１８】  １  上ケース
２  中ケース
３  下ケース
４  魚信灯（バルブ）
５  常時灯（ＬＥＤ）
６  常時灯スイッチ
７  電源（電池）
８  永久磁石リレー、誤作動防止装置図
９  Ａ接点
１０  Ｂ接点
１１  磁石摺動ガイド
１２  スプリングホルダー
１３  誤作動防止調整ネジ
１４  リード板
１５  中ケース底板
１６  永久磁石
１７  コイルスプリング
１８  センサーロッドガイド
１９  センサーロッド
２０  オーリング
２１  電源マイナス接点兼電池押さえスプリング
【手続補正３】
【補正対象書類名】図面
【補正対象項目名】全図
【補正方法】変更
【補正の内容】
【図１】
0003104978.tif 000004
【図２】
0003104978.tif 000005
【図３】
0003104978.tif 000006
【手続補正書】
【提出日】平成16年7月6日(2004.7.6)
【手続補正２】
【補正対象書類名】手続補正書
【補正対象項目名】手続補正４
【補正方法】削除
【補正の内容】